(57)【要約】【課題】ローカルディミング制御後の画像に対して、より適切にホワイトバランスを調整する技術を提供すること。【解決手段】バックライトのローカルディミング制御に伴い階調が調整された調整画像信号における各原色信号に対して、第１のゲインを用いてホワイトバランスを調整した第１画像信号を生成する第１調整部（１３）と、調整画像信号における各原色信号に対して、第１のゲインのうち少なくとも何れかの原色信号に対するゲインをより高い値に変更した第２のゲインを用いて、ホワイトバランスを調整した第２画像信号を生成する第２調整部（１４）と、第１画像信号及び第２画像信号に対して、ローカルディミング制御によるバックライト階調に基づき重み付け補間を行った画像信号を出力する重み付け補間部（１５）と、を備える。【選択図】図１
2019049637.tif 000002
【特許請求の範囲】
【請求項１】
ホワイトバランスを調整する画像処理装置であって、
バックライトのローカルディミング制御に伴い階調が調整された調整画像信号における各原色信号に対して、第１のゲインを用いてホワイトバランスを調整した第１画像信号を生成する第１調整部と、
上記調整画像信号における各原色信号に対して、上記第１のゲインのうち少なくとも何れかの原色信号に対するゲインをより高い値に変更した第２のゲインを用いて、ホワイトバランスを調整した第２画像信号を生成する第２調整部と、
上記第１画像信号及び上記第２画像信号に対して、上記ローカルディミング制御によるバックライト階調に基づき重み付け補間を行った画像信号を出力する重み付け補間部と、
を備えた画像処理装置。
【請求項２】
上記重み付け補間部は、上記バックライト階調が高いほど、上記第２画像信号の重み付けを大きくする、
ことを特徴とする請求項１に記載の画像処理装置。
【請求項３】
上記重み付け補間部は、上記バックライト階調に基づくことに加えて、上記調整画像信号の彩度に基づいて、上記重み付け補間を行う、
ことを特徴とする請求項１または２に記載の画像処理装置。
【請求項４】
上記重み付け補間部は、上記彩度が低いほど、上記第２画像信号の重み付けを大きくする、
ことを特徴とする請求項３に記載の画像処理装置。
【請求項５】
上記第２調整部は、上記調整画像信号が所定の高輝度条件を満たす場合に、上記第２のゲインを用いてホワイトバランスを調整した上記第２画像信号を生成する、
ことを特徴とする請求項１から４の何れか１項に記載の画像処理装置。
【請求項６】
上記第２調整部は、上記第１のゲインに対する差分情報に基づいて上記第２のゲインを算出する、
ことを特徴とする請求項１から５の何れか１項に記載の画像処理装置。
【請求項７】
上記重み付け補間部は、ユーザにより入力される情報が上記第２画像信号を適用することを表す場合、上記重み付け補間を行い、上記ユーザにより入力される情報が上記第２画像信号を適用しないことを表す場合、上記第１画像信号を出力する、
ことを特徴とする請求項１から６の何れか１項に記載の画像処理装置。
【請求項８】
上記第１調整部は、上記第１のゲインとしてユーザにより入力される情報を用いて、ホワイトバランスを調整した上記第１画像信号を生成する、
ことを特徴とする請求項１から７の何れか１項に記載の画像処理装置。
【請求項９】
入力される画像信号に対して上記ローカルディミング制御を実行して上記調整画像信号を生成するローカルディミング制御部と、
請求項１から８の何れか１項に記載の画像処理装置と、
を含む表示装置。
【請求項１０】
請求項９に記載の表示装置を備えていることを特徴とするテレビジョン受像機。
【請求項１１】
ホワイトバランスを調整する画像処理方法であって、
バックライトのローカルディミング制御に伴い階調が調整された調整画像信号における各原色信号に対して、第１のゲインを用いてホワイトバランスを調整した第１画像信号を生成する第１調整ステップと、
上記調整画像信号における各原色信号に対して、上記第１のゲインのうち、少なくとも何れかの原色信号に対するゲインをより高い値に変更した第２のゲインを用いて、ホワイトバランスを調整した第２画像信号を生成する第２調整ステップと、
上記第１画像信号及び上記第２画像信号に対して、上記ローカルディミング制御によるバックライト階調に基づき重み付け補間を行った画像信号を出力する画像信号出力ステップと、
を含む画像処理方法。
【請求項１２】
請求項１に記載の画像処理装置としてコンピュータを機能させるための制御プログラムであって、上記第１調整部、上記第２調整部および上記重み付け補間部としてコンピュータを機能させるための制御プログラム。
【請求項１３】
請求項１２に記載の制御プログラムを記録したコンピュータ読み取り可能な記録媒体。
【発明の詳細な説明】
【技術分野】
【０００１】
本発明は、ホワイトバランスを調整する画像処理装置、当該画像処理装置を含むテレビジョン受像機、当該画像処理装置による画像処理方法、当該画像処理装置としてコンピュータを機能させるための制御プログラム、および当該制御プログラムを記録した記録媒体に関する。
【背景技術】
【０００２】
一般に、表示装置に表示される画像に対して、ホワイトバランスの調整を行う画像処理装置が知られている。
【０００３】
例えば、特許文献１には、所定以上の輝度で所定以下の彩度を有する白色系の映像信号に対して、その色温度を補正する画像処理装置が記載されている。
【先行技術文献】
【特許文献】
【０００４】
【特許文献１】特開２００５−１９２２４９号公報（２００５年７月１４日公開）
【発明の概要】
【発明が解決しようとする課題】
【０００５】
しかしながら、上述のような表示装置がローカルディミング制御機能を有する場合、ローカルディミング制御後の画像に対してホワイトバランスを調整すると、調整後の画像に不具合が生じることがある。
【０００６】
その理由について説明する。ローカルディミング制御とは、画面の局所領域ごとにバックライトの明るさを制御する技術である。ローカルディミング制御は、入力される画像に基づいて、局所領域におけるバックライトの点灯率を算出し、算出した点灯率に応じて、当該領域における画像の階調を調整して出力する。
【０００７】
例えば、暗い無彩色の局所領域を含む画像が入力されたとする。この場合、当該局所領域におけるバックライトの点灯率として例えば１０％等の低い値が設定された上で、入力画像における当該局所領域の階調が最大階調付近まで変更されることがある。この場合、入力画像において当該領域が高階調であることは、高輝度を表現するためではなく、バックライトの電力消費を低く抑えるとともに画像の明るさのダイナミックレンジを広くすることを目的として行われる。
【０００８】
このように、ローカルディミング制御後の画像は、制御前の画像から階調が変更されている領域を含む可能性が大きい。したがって、階調が変更された領域を含む画像に対してホワイトバランスを調整すると、違和感のある画像が得られる可能性がある。
【０００９】
本発明は、上記の課題に鑑みてなされてものであり、その目的は、ローカルディミング制御後の画像に対して、より適切にホワイトバランスを調整する技術を提供することにある。
【課題を解決するための手段】
【００１０】
上記の課題を解決するために、本発明の一態様に係る画像処理装置は、ホワイトバランスを調整する画像処理装置であって、バックライトのローカルディミング制御に伴い階調が調整された調整画像信号における各原色信号に対して、第１のゲインを用いてホワイトバランスを調整した第１画像信号を生成する第１調整部と、上記調整画像信号における各原色信号に対して、上記第１のゲインのうち、少なくとも何れかの原色信号に対するゲインをより高い値に変更した第２のゲインを用いて、ホワイトバランスを調整した第２画像信号を生成する第２調整部と、上記第１画像信号及び上記第２画像信号に対して、上記ローカルディミング制御によるバックライト階調に基づき重み付け補間を行った画像信号を出力する重み付け補間部と、備える。
【００１１】
上記の課題を解決するために、本発明の一態様に係る画像処理方法は、ホワイトバランスを調整する画像処理方法であって、バックライトのローカルディミング制御に伴い階調が調整された調整画像信号における各原色信号に対して、第１のゲインを用いてホワイトバランスを調整した第１画像信号を生成する第１調整ステップと、上記調整画像信号における各原色信号に対して、上記第１のゲインのうち、少なくとも何れかの原色信号に対するゲインをより高い値に変更した第２のゲインを用いて、ホワイトバランスを調整した第２画像信号を生成する第２調整ステップと、上記第１画像信号及び上記第２画像信号に対して、上記ローカルディミング制御によるバックライト階調に基づき重み付け補間を行った画像信号を出力する画像信号出力ステップと、含む。
【発明の効果】
【００１２】
本発明の一態様によれば、ローカルディミング制御後の画像に対して、より適切にホワイトバランスを調整することができる。
【図面の簡単な説明】
【００１３】
【図１】本発明の実施形態１に係るテレビジョン受像機の要部構成を示すブロック図である。
【図２】（ａ）、（ｂ）および（ｃ）は、本発明の実施形態１に係るテレビの外観の一例を示す図である。
【図３】本発明の実施形態１におけるローカルディミング制御部の構成例を示すブロック図である。
【図４】（ａ）は、ホワイトバランスを調整しない場合のゲインの一例を示すグラフである。（ｂ）は、本発明の実施形態１において用いられる第１のゲインの一例を示すグラフである。
【図５】（ａ）、（ｂ）および（ｃ）は、それぞれ、第２のゲインの一例を示すグラフである。
【図６】本発明の実施形態１における重み付け補間部の構成例を示すブロック図である。
【図７】本発明の実施形態１における重み付け補間を表すグラフである。
【図８】本発明の実施形態１においてバックライト階調に基づき算出される重み付け係数の一例を示すグラフである。
【図９】本発明の実施形態１に係るテレビが実行する処理の流れを示すフローチャートである。
【図１０】本発明の実施形態１における画像処理装置が実行する処理の流れを示すフローチャートである。
【図１１】本発明の実施形態２に係るテレビジョン受像機の要部構成を示すブロック図である。
【図１２】本発明の実施形態２における重み付け補間部の構成例を示すブロック図である。
【図１３】本発明の実施形態２において彩度に基づき算出される重み付け係数の一例を示すグラフである。
【図１４】本発明の実施形態２における画像処理装置が実行する処理の流れを示すフローチャートである。
【図１５】本発明の実施形態３に係るテレビジョン受像機の要部構成を示すブロック図である。
【発明を実施するための形態】
【００１４】
〔実施形態１〕
以下、本発明の実施形態について、詳細に説明する。
【００１５】
（テレビジョン受像機１の構成）
図１は、実施形態１に係るテレビジョン受像機（表示装置）１の要部構成を示すブロック図である。テレビジョン受像機１（以下、単に「テレビ１」と称する）は、画像信号を取得し、取得した画像信号に応じた画像を、バックライトを有する表示部に表示する装置である。
【００１６】
テレビ１は、図１に示すように、画像信号取得部１０、表示部１１、ローカルディミング制御部１２、第１調整部１３、第２調整部１４、重み付け補間部１５、記憶部１６、および、操作受付部１７を含む。なお、第１調整部１３、第２調整部１４、および、重み付け補間部１５は、画像処理装置１００を構成する。
【００１７】
画像信号取得部１０は、画像信号を取得するインターフェースである。画像信号取得部１０が取得する画像信号の例として、チューナを介して取得したチューナ信号、ＨＤＭＩ（登録商標）（High-Definition Multimedia Interface：高精細度マルチメディアインターフェース）を介して取得したＨＤＭＩ信号、またはＣＶＢＳ（Composite Video, Blanking, and Sync：コンポジット映像信号）信号などが挙げられる。
【００１８】
表示部１１は、画像を表示する表示デバイスであり、バックライトを有する透過型の画面により実現される。そのような透過型の画面の一例としては、液晶パネルや有機ＥＬ（Electro luminescence）ディスプレイなどがあるが、これらに限られない。また表示部１１が表示する画像のホワイトバランスは、各原色に対するゲインの値を調整することにより、調整可能である。
【００１９】
また、表示部１１が有するバックライトは、複数の発光ブロックからなる。各発光ブロックは、個別に点灯率を制御可能となっている。なお、発光ブロックの点灯率は、本発明におけるバックライト階調の一例に相当する。また、各発光ブロックを構成する光源の一例としては、例えば、ＬＥＤ（light emitting diode）や冷陰極管が挙げられるが、これらに限られない。発光ブロックは、表示部１１が有する透過型の画面が分割された局所領域の裏側に配置される。発光ブロックは、後述のローカルディミング制御部１２により決定された点灯率で、主として局所領域に対して光を照射する。各発光ブロックの点灯率の制御に伴い、当該発光ブロックに対応する局所領域に表示される画像は、階調（輝度）が調整され得る。
【００２０】
ローカルディミング制御部１２は、画像信号取得部１０によって取得された画像信号に基づいて、バックライトの各発光ブロックの点灯率を算出する。また、ローカルディミング制御部１２は、算出した点灯率に基づいて、画像信号の局所領域毎の階調を調整する。ローカルディミング制御部１２によって階調が調整された画像信号を、以降、調整画像信号（Ｒ，Ｇ，Ｂ）とも記載する。ローカルディミング制御部１２の詳細については後述する。
【００２１】
第１調整部１３は、バックライトのローカルディミング制御に伴い階調が調整された調整画像信号（Ｒ，Ｇ，Ｂ）における各原色信号に対して、第１のゲインを用いてホワイトバランスを調整した第１画像信号を生成する。各原色信号とは、赤（Ｒ）、緑（Ｇ）、および青（Ｂ）をそれぞれ表す信号である。第１画像信号は、次に説明する第２画像信号に比べて、色度優先の画像である。第１調整部１３の詳細については後述する。
【００２２】
第２調整部１４は、バックライトのローカルディミング制御に伴い階調が調整された調整画像信号（Ｒ，Ｇ，Ｂ）における各原色信号に対して、第２のゲインを用いてホワイトバランスを調整した第２画像信号を生成する。なお、第２調整部１４は、調整画像信号（Ｒ，Ｇ，Ｂ）が高輝度条件を満たす場合に、第２のゲインを用いて第２画像信号を生成してもよい。この場合、第２調整部１４は、高輝度条件を満たさない場合には、第１のゲインを用いて第１画像信号を生成すればよい。第２画像信号は、前述の第１画像信号に比べて、輝度優先の画像である。第２調整部１４の詳細については後述する。
【００２３】
重み付け補間部１５は、第１画像信号（Ｒ１，Ｇ１，Ｂ１）及び第２画像信号（Ｒ２，Ｇ２，Ｂ２）に対して、ローカルディミング制御によるバックライト階調に基づき重み付け補間を行う。重み付け補間を行って得られる画像信号を、以降、画像信号（Ｒ＿ｏｕｔ１，Ｇ＿ｏｕｔ１，Ｂ＿ｏｕｔ１）とも記載する。重み付け補間部１５の詳細については後述する。
【００２４】
記憶部１６は、データを格納することができるデバイスである。具体的には、記憶部１６には、第１調整部１３及び第２調整部１４によってそれぞれ用いられる第１のゲインおよび第２のゲイン等が格納されている。
【００２５】
操作受付部１７は、ユーザの操作を受け付け、当該操作を示す操作情報を出力する。操作受付部１７は、リモートコントローラから送信される赤外線信号を受光する赤外線信号受光部や、スイッチ、タッチパッドなどにより実現される。
【００２６】
（テレビ１の外観）
図２は、実施形態１に係るテレビ１の一部として実現される表示装置の外観の一例を示す図である。テレビ１の一部として実現される表示装置は、図２（ａ）に外観を示すように、画像信号を表示する表示装置によって構成されていてもよい。また、テレビ１の一部として実現される表示装置は、図２（ｂ）に外観を示すように、パーソナルコンピュータによって構成されていてもよい。また、テレビ１の一部として実現される表示装置は、図２（ｃ）に外観を示すように、携帯型情報端末装置によって構成されていてもよい。ただし、テレビ１の一部として実現される表示装置の外観およびその構成は、これに限定されるものではない。
【００２７】
（ローカルディミング制御部１２の詳細）
ローカルディミング制御部１２は、例えば、図３に示す機能ブロックによって構成可能である。図３において、ローカルディミング制御部１２は、点灯率算出部１２１と、分布特性算出部１２２と、画像階調調整部１２３とを含む。
【００２８】
点灯率算出部１２１は、入力された画像信号に基づいて、バックライトの各発光ブロックの点灯率を算出する。例えば、点灯率算出部１２１は、各発光ブロックに対応する画像信号の局所領域における最大階調値に基づいて、点灯率を算出してもよい。ただし、画像信号に基づく点灯率の算出手法は、これに限られず、公知の各種の手法を適用可能である。また、点灯率算出部１２１は、点灯率に基づくバックライト係数Ｌを、重み付け補間部１５に出力する。なお、バックライト係数Ｌは、０以上１以下の数値であるものとし、点灯率を０以上１以下の数値に変換したものであってもよい。
【００２９】
分布特性算出部１２２は、各発光ブロックの点灯率と、各発光ブロックの光源の特性とに基づいて、バックライトによる明るさの分布特性を算出する。例えば、分布特性算出部１２２は、光源の特性に応じて、各発光ブロックから近隣に対して光が漏れる範囲および程度を算出する。そして、分布特性算出部１２２は、各発光ブロックの点灯率に対して、他の発光ブロックから光が漏れる範囲および程度を重ね合わせることにより、バックライトによる明るさの分布特性を求めることが可能である。
【００３０】
画像階調調整部１２３は、バックライトによる明るさの分布特性に基づいて、入力された画像信号の階調を調整し、調整画像信号（Ｒ，Ｇ，Ｂ）を出力する。階調の調整処理は、演算やテーブル参照等により行われてもよく、各種の公知の手法を適用可能である。
【００３１】
（第１調整部１３の詳細）
第１調整部１３によって用いられる第１のゲインについて説明する。第１のゲインは、ホワイトバランスを調整しない場合（すなわち、無調整）のゲインに対して次のように定められる。例えば、第１のゲインは、無調整のゲインのうち少なくとも何れかの原色信号の何れかに対するゲインの値が、無調整の場合より低く定められる。無調整のゲインは、例えば、入力された画像信号の階調が最高階調値のときに、表示する画像の輝度が最高輝度になるように設定されている。具体的には、第１のゲインは、各原色信号の何れかに対するゲインの値が無調整の場合と同一に定められ、他の２つの原色信号に対するゲインの値が無調整の場合より低く定められていてもよい。
【００３２】
このような第１のゲインを用いてホワイトバランスを調整された第１画像信号は、無調整の場合に比べて、輝度が低下するものの色度が適切に調整された色度優先の画像を表す。以降、第１画像信号を（Ｒ１，Ｇ１，Ｂ１）とも記載する。
【００３３】
第１のゲインについて、図４を参照して説明する。なお、図４（ａ）および（ｂ）において、横軸は、入力される調整画像信号（ｉｎｐｕｔ）を示し、縦軸は、当該ゲインを用いて出力される第１画像信号（ｏｕｔｐｕｔ）を表している。
【００３４】
例えば、無調整のゲインが、図４（ａ）のグラフのように定められているとする。なお、図４（ａ）では、各原色信号のゲインは同一である。このとき、第１のゲインは、一例として、図４（ｂ）に示すように定められる。図４（ｂ）では、緑（Ｒ）に対するゲインは、無調整のゲインと同一である。また、赤（Ｒ）および青（Ｂ）に対するゲインは、無調整の場合より低くなっている。
【００３５】
（第２調整部１４の詳細）
第２調整部１４によって用いられる第２のゲインについて説明する。第２のゲインは、第１のゲインに対して次のように定められる。第２のゲインは、第１のゲインのうち少なくとも何れかの原色信号に対するゲインの値が、第１のゲインより高く定められる。具体的には、第２のゲインは、第１のゲインのうち、無調整の場合より低く設定されている各原色信号に対するゲインの少なくとも何れかが、第１のゲインより高くなるよう定められたものであってもよい。なお、第２調整部１４は、第２のゲインを、演算やテーブル参照により求めればよい。
【００３６】
このような第２のゲインを用いてホワイトバランスを調整された第２画像信号は、第１画像信号が表す画像に比べて、色度の調整の程度が低くなるものの、輝度が高い輝度優先の画像を表す。以降、第２画像信号を（Ｒ２，Ｇ２，Ｂ２）とも記載する。
【００３７】
第２のゲインについて、図５を参照して説明する。なお、図５（ａ）から（ｃ）において、横軸は、入力される調整画像信号（ｉｎｐｕｔ）を示し、縦軸は、当該ゲインを用いて出力される第２画像信号（ｏｕｔｐｕｔ）を表している。
【００３８】
ここで、第１のゲインが図４（ｂ）のように定められているとすると、第２のゲインは、図５（ａ）、（ｂ）または（ｃ）に示すように定められる。
【００３９】
図５（ａ）において、緑（Ｇ）に対する第２のゲインは、第１のゲインと同一に設定される。また、赤（Ｒ）および青（Ｂ）に対する第２のゲインは、破線で示した第１のゲインよりも高く、かつ、無調整の場合より低く設定される。このような第２のゲインが用いられた場合、第２画像信号は、最低階調値から最大階調値まで、第１画像信号に比べて輝度優先の画像となる。
【００４０】
図５（ｂ）では、高輝度条件として、所定の階調値（ＲについてＬ１、ＢについてＬ２）以上であるとの条件が適用されている。また、緑（Ｇ）に対する第２のゲインは、第１のゲインと同一に設定される。
【００４１】
また、赤（Ｒ）に対する第２のゲインは、最低階調値から階調値Ｌ１まで、第１のゲインと同一の値に設定される。また、赤（Ｒ）に対する第２のゲインは、階調値Ｌ１から最大階調値まで、第１のゲイン以上であり、かつ、無調整の場合以下に設定される。また、赤（Ｒ）に対する第２のゲインは、最大階調値の場合に輝度が最大（無調整の場合と同一）になるように設定される。
【００４２】
また、青（Ｂ）に対する第２のゲインは、最低階調値から階調値Ｌ２まで、第１のゲインと同一の値に設定される。また、青（Ｂ）に対する第２のゲインは、階調値Ｌ２から最大階調値まで、第１のゲイン以上であり、かつ、無調整の場合以下に設定される。また、青（Ｂ）に対する第２のゲインは、最大階調値の場合に輝度が最大（無調整の場合と同一）になるように設定される。
【００４３】
このような第２のゲインが用いられた場合、第２画像信号は、調整画像信号の赤（Ｒ）が階調値Ｌ１より低く、かつ、青（Ｂ）が階調値Ｌ２より低い場合には、色度優先の画像となる。また、第２画像信号は、調整画像信号の赤（Ｒ）が階調値Ｌ１以上、または、青（Ｂ）が階調値Ｌ２以上である場合には、輝度優先の画像となる。
【００４４】
図５（ｃ）では、高輝度条件として、所定の階調値（ＲについてＬ３、ＢについてＬ４）以上であるとの条件が適用されている。また、緑（Ｇ）に対する第２のゲインは、第１のゲインと同一に設定される。
【００４５】
また、赤（Ｒ）に対する第２のゲインは、最低階調値から階調値Ｌ３まで、第１のゲインと同一の値に設定される。また、赤（Ｒ）に対する第２のゲインは、階調値Ｌ３から最大階調値まで、第１のゲイン以上であり、かつ、無調整の場合以下に設定される。また、赤（Ｒ）に対する第２のゲインは、最大階調値の場合に輝度が最大より低い値（無調整の場合より低い値）に設定される。
【００４６】
また、青（Ｂ）に対する第２のゲインは、最低階調値から階調値Ｌ４まで、第１のゲインと同一の値に設定される。また、青（Ｂ）に対する第２のゲインは、階調値Ｌ４から最大階調値まで、第１のゲイン以上であり、かつ、無調整の場合以下に設定される。また、青（Ｂ）に対する第２のゲインは、最大階調値の場合に輝度が最大より低い値（無調整の場合より低い値）に設定される。
【００４７】
このような第２のゲインが用いられた場合、第２画像信号は、調整画像信号の赤（Ｒ）が階調値Ｌ１より低く、かつ、青（Ｂ）が階調値Ｌ２より低い場合には、色度優先の画像となる。また、第２画像信号は、調整画像信号の赤（Ｒ）が階調値Ｌ１以上、または、青（Ｂ）が階調値Ｌ２以上である場合には、輝度優先の画像となる。
【００４８】
なお、階調値Ｌ１および階調値Ｌ２は、必ずしも異なる値でなくてもよく、同一であってもよい。同様に、階調値Ｌ３および階調値Ｌ４は、必ずしも異なる値でなくてもよく、同一であってもよい。
【００４９】
（重み付け補間部１５の詳細）
例えば、重み付け補間部１５は、図６に示す機能ブロックによって構成される。図６において、重み付け補間部１５は、重み付け係数算出部１５１と、重み付け部１５２とを含む。
【００５０】
重み付け係数算出部１５１は、ローカルディミング制御部１２から出力されるバックライト係数Ｌに基づいて、重み付け係数ＷＬを算出する。重み付け係数ＷＬは、例えば、次式（１）によって算出される。
ＷＬ＝ｆ（Ｌ）・・・（１）
ここで、関数ｆは、バックライト階調（バックライト係数Ｌ）がより高いほどより大きい値を算出する関数である。
【００５１】
重み付け部１５２は、重み付け係数ＷＬを用いて、第１画像信号（Ｒ１，Ｇ１，Ｂ１）及び第２画像信号（Ｒ２，Ｇ２，Ｂ２）に対して重み付け補間を行う。重み付け補間は、重み付け係数ＷＬが大きいほど、第２画像信号（Ｒ２，Ｇ２，Ｂ２）の重み付けが大きくなるよう行われる。例えば、赤（Ｒ）の原色信号に対する重み付け補間は、次式（２）によって行われる。
Ｒ＿ｏｕｔ１＝Ｒ１×（１−ＷＬ）＋Ｒ２×ＷＬ・・・（２）
なお、緑（Ｇ）および青（Ｂ）の各原色信号に対しても、式（２）における文字ＲをＧまたはＢに置き換えた式が適用可能である。
【００５２】
このような重み付け補間による入力値及び出力値の関係を図７に示す。図７において、ｘ０は、第２調整部１４によって用いられる高輝度条件を表している。つまり、この場合、高輝度条件は、階調値がｘ０以上であることである。図７に示すように、入力値（入力される調整画像信号の階調）がｘ０より低い場合には、重み付け補間部１５から、第１調整部１３により調整された第１画像信号が出力される。これは、入力値がｘ０より低い場合には、第２調整部１４からも、第１のゲインと同一の第２のゲインを用いて調整した第１画像信号が出力されるからである。また、入力値がｘ０より高い場合には、第１画像信号及び第２画像信号の間で重み付け補間された出力値が、重み付け補間部１５から出力される。
【００５３】
例えば、重み付け係数算出部１５１が用いる関数ｆは、線形関数であってもよいし、非線形関数であってもよい。代表的な線形関数ｆの例は、ＷＬ＝Ｌである。また、非線形関数ｆの一例を、図８に示す。図８において、非線形関数ｆは、バックライト係数Ｌがより大きい範囲（高輝度領域）では、ＷＬが１により近くなるように定められ、より小さい領域では、ＷＬが０により近くなるように定められている。このような線形関数ｆまたは非線形関数ｆを用いて算出された重み付け係数ＷＬを用いることにより、重み付け補間部１５は、バックライトがより明るい領域ほど、輝度優先の第２画像信号により近い画像信号を出力することになる。また、重み付け補間部１５は、バックライトがより暗い領域ほど、色度優先の第１画像信号により近い画像信号を出力することになる。
【００５４】
（テレビ１が実行する処理）
図９は、実施形態１に係るテレビ１が実行する処理の流れを示すフローチャートである。テレビ１が実行する処理について、図９を用いて説明する。
【００５５】
（ステップＳ１）
画像信号取得部１０は、画像信号を取得する。画像信号取得部１０は、取得した画像信号をローカルディミング制御部１２に出力する。
【００５６】
（ステップＳ２）
ローカルディミング制御部１２は、ステップＳ１で取得された画像信号に基づいて、バックライトの各発光ブロックの点灯率を算出する。また、ローカルディミング制御部１２は、算出した点灯率に基づいて、画像信号の局所領域毎の階調を調整した調整画像信号（Ｒ，Ｇ，Ｂ）を出力する。
【００５７】
（ステップＳ３）
画像処理装置１００は、ステップＳ２で算出された点灯率に基づくバックライト係数Ｌと、調整画像信号（Ｒ，Ｇ，Ｂ）とを入力として、ホワイトバランスを調整して画像信号を出力する。このステップの詳細については後述する。
【００５８】
（ステップＳ４）
表示部１１は、ステップＳ２で算出された点灯率に基づきバックライトの各発光ブロックを発光させる。また、ステップＳ３でホワイトバランスが調整された画像信号を、画面に表示する。
【００５９】
次に、ステップＳ３における画像処理装置１００の処理の詳細について説明する。図１０は、実施形態１における画像処理装置１００が実行する処理の流れを示すフローチャートである。
【００６０】
（ステップＳ３０１）
第１調整部１３は、ステップＳ２で出力される調整画像信号（Ｒ，Ｇ，Ｂ）に対して、第１のゲインを用いてホワイトバランスを調整した色度優先の第１画像信号（Ｒ１，Ｇ１，Ｂ１）を生成する。
【００６１】
（ステップＳ３０２）
第２調整部１４は、ステップＳ２で出力される調整画像信号（Ｒ，Ｇ，Ｂ）に対して、第２のゲインを用いてホワイトバランスを調整した輝度優先の第２画像信号（Ｒ２，Ｇ２，Ｂ２）を生成する。
【００６２】
（ステップＳ３０３）
重み付け係数算出部１５１は、ステップＳ２で算出された点灯率に対応するバックライト係数Ｌに基づいて、重み付け係数ＷＬを算出する。
【００６３】
（ステップＳ３０４）
重み付け部５は、重み付け係数ＷＬを用いて、第１画像信号（Ｒ１，Ｇ１，Ｂ１）および第２画像信号（Ｒ２，Ｇ２，Ｂ２）に対して重み付け補間を行うことにより、画像信号（Ｒ＿ｏｕｔ１，Ｇ＿ｏｕｔ１，Ｂ＿ｏｕｔ１）を生成して出力する。
【００６４】
以上説明したように、本実施形態に係るテレビ１は、ローカルディミング制御後の画像に対して、より適切にホワイトバランスを調整することができる。
【００６５】
その理由について説明する。本実施形態では、第１調整部１３が、ローカルディミング制御後の調整画像信号に対して、第１のゲインを用いてホワイトバランスを調整した第１画像信号を生成する。また、第２調整部１４が、調整画像信号が高輝度条件を満たす場合に、第２のゲインを用いてホワイトバランスを調整した第２画像信号を生成する。第２のゲインは、第１のゲインのうち少なくとも何れかの原色信号に対するゲインをより高い値に変更した値に設定されている。これにより、第１画像信号は、第２画像信号に比べて、色度優先の画像となる。また、第２画像信号は、第１画像信号に比べて、輝度優先の画像となる。そして、重み付け補間部１５が、色度優先の第１画像信号および輝度優先の第２画像信号に対して、ローカルディミング制御により決定されたバックライト階調に基づいて重み付け補間した画像信号を出力するからである。
【００６６】
このように、本実施形態は、バックライトが暗くなるようローカルディミング制御された局所領域では、調整画像信号の階調値が高くても、色度優先の画像を表示することになる。このため、本実施形態は、ローカルディミング制御後の画像に対して、ホワイトバランスの調整による色味の不自然な変化を低減する。
【００６７】
なお、本実施形態において、重み付け補間部１５が、バックライト係数Ｌから重み付け係数ＷＬを算出する関数ｆとして、線形関数ＷＬ＝Ｌまたは図８に示す非線形関数を用いる例について説明した。ただし、重み付け補間部１５が用いる関数ｆは、これらに限定されない。
【００６８】
また、本実施形態において、重み付け補間部１５は、式（２）を用いて重み付け補間を行う例について説明した。ただし、重み付け補間部１５が行う重み付け補間の処理は、式（２）に基づく処理に限定されない。例えば、重み付け補間部１５は、「Ｒ＿ｏｕｔ１＝Ｒ１＋ｄＲ×ＷＬ」との式を用いて、重み付け補間を行ってもよい。ここで、ｄＲは、最大階調値の入力値Ｒに対する第１画像信号Ｒ１および第２画像信号Ｒ２の差分を表す。その他、重み付け補間部１５は、テーブル参照、各種の算術演算、任意の線形補間、または、これらの組み合わせを用いて、重み付け補間を行ってもよい。
【００６９】
また、本実施形態において、第２調整部１４が用いる高輝度条件として、調整画像信号の階調値に基づく条件を用いる例について説明した。これに限らず、高輝度条件は、調整画像信号の輝度に基づく条件であってもよい。例えば、第２調整部は、調整画像信号の各原色信号の輝度が閾値以上である場合に、第２のゲインを用いてホワイトバランスを調整した第２画像信号を生成してもよい。
【００７０】
また、本実施形態において、高輝度条件は、Ｒ、Ｇ、Ｂの各原色信号について個別に定められていてもよい。
【００７１】
また、本実施形態において、第２調整部１４が、第２のゲインを、演算やテーブル参照により求める例について説明した。これに限らず、第２調整部１４は、第１のゲインに対する第２のゲインの差分情報を記憶しておき、第１のゲイン及び差分情報に基づいて、第２のゲインを求めてもよい。これにより、第２のゲインを求めるために記憶しておくべき情報の容量が削減される。
【００７２】
〔実施形態２〕
本発明の他の実施形態について、以下に説明する。なお、説明の便宜上、上記実施形態にて説明した部材と同じ機能を有する部材については、同じ符号を付記し、その説明を省略する。本実施形態では、重み付け補間部が行う重み付け補間を、バックライト階調に基づくことに加えて、調整画像信号の彩度に基づいて行う例について説明する。
【００７３】
（テレビ２の構成）
本実施形態に係るテレビ（表示装置）２は、図１１に示すように、図１に示した実施形態１に係るテレビ１の構成に対して、重み付け補間部１５に替えて重み付け補間部２５を含む点が異なる。なお、第１調整部１３、第２調整部１４および、重み付け補間部２５は、画像処理装置２００を構成する。
【００７４】
（重み付け補間部２５の詳細）
重み付け補間部２５は、第１画像信号（Ｒ１，Ｇ１，Ｂ１）及び第２画像信号（Ｒ２，Ｇ２，Ｂ２）に対して、ローカルディミング制御によるバックライト階調と、調整画像信号（Ｒ，Ｇ，Ｂ）の彩度とに基づき重み付け補間を行う。また、重み付け補間部２５は、重み付け補間を行った結果得られる画像信号（Ｒ＿ｏｕｔ２，Ｇ＿ｏｕｔ２，Ｂ＿ｏｕｔ２）を出力する。
【００７５】
例えば、重み付け補間部２５は、図１２に示す機能ブロックによって構成可能である。図１２に示すように、重み付け補間部２５は、第１重み付け係数算出部２５１と、第２重み付け係数算出部２５３と、重み付け部２５２と、を含む。
【００７６】
第１重み付け係数算出部２５１は、実施形態１における重み付け係数算出部１５１と同様に構成される。すなわち、第１重み付け係数算出部２５１は、ローカルディミング制御部１２から出力されるバックライト係数Ｌに基づいて、重み付け係数ＷＬを算出する。
【００７７】
第２重み付け係数算出部２５３は、調整画像信号の彩度に基づいて、重み付け係数ＷＳを算出する。重み付け係数ＷＳは、次式（３）によって算出される。
ＷＳ＝ｆＳ（Ｓ）・・・（３）
ここで、関数ｆＳは、彩度がより低いほどより大きい値を算出する関数である。また、Ｓは、調整画像信号（Ｒ，Ｂ，Ｇ）の彩度を表し、例えば、Ｓ＝ＭＩＮ（Ｒ，Ｇ，Ｂ）／ＭＡＸ（Ｒ，Ｇ，Ｂ）によって算出される。なお、ＭＩＮ（Ｒ，Ｇ，Ｂ）は、Ｒ，Ｇ，Ｂのうち最小値を表す。また、ＭＡＸ（Ｒ，Ｇ，Ｂ）は、Ｒ，Ｇ，Ｂのうち最大値を表す。
【００７８】
重み付け部２５２は、重み付け係数ＷＬおよび重み付け係数ＷＳを用いて、第１画像信号（Ｒ１，Ｇ１，Ｂ１）及び第２画像信号（Ｒ２，Ｇ２，Ｂ２）に対して重み付け補間を行う。重み付け補間によって用いられる重み付け係数Ｗは、次式（４）によって求められる。
Ｗ＝ＷＬ×ＷＳ・・・（４）
また、重み付け補間は、例えば、赤（Ｒ）の原色信号に対して、次式（５）によって行われる。
Ｒ＿ｏｕｔ１＝Ｒ１×（１−Ｗ）＋Ｒ２×Ｗ・・・（５）
なお、緑（Ｇ）および青（Ｂ）の各原色信号に対しても、式（５）における文字ＲをＧまたはＢに置き換えた式が適用可能である。
【００７９】
例えば、第２重み付け係数算出部２５３が用いる関数ｆＳは、線形関数であってもよいし、非線形関数であってもよい。代表的な線形関数ｆＳの例は、ＷＳ＝１−Ｓである。また、非線形関数ｆＳの一例を、図１３に示す。図１３において、非線形関数ｆＳは、彩度Ｓがより小さい範囲（低彩度領域）では、ＷＳが１により近くなるように定められ、より大きい範囲では、ＷＳが０により近くなるように定められている。このような彩度に基づく重み付け係数ＷＳを用いることにより、重み付け補間部２５は、彩度がより低い領域ほど、輝度優先の第２画像信号により近い画像信号を出力することになる。また、重み付け補間部２５は、彩度がより高い領域ほど、色度優先の第１画像信号により近い画像信号を出力することになる。換言すると、例えば、重み付け補間部２５は、バックライトが比較的暗い領域であっても彩度がある程度低ければ、実施形態１よりも輝度優先の第２画像信号に近い画像信号を出力することになる。また、重み付け補間部２５は、バックライトが比較的明るい領域であっても彩度がある程度高ければ、実施形態１よりも色度優先の第１画像信号に近い画像信号を出力することになる。
【００８０】
（テレビ２が実行する処理）
次に、実施形態２に係るテレビ２が実行する処理の流れについて説明する。テレビ２が実行する処理の概要については、図９に示して説明した実施形態１とほぼ同様であるため、説明を省略する。実施形態２では、ステップＳ３における処理の詳細が異なる。図１４は、実施形態２における画像処理装置２００が実行する処理の流れを示すフローチャートである。
【００８１】
画像処理装置２００は、ステップＳ３０１〜Ｓ３０２まで、実施形態１における画像処理装置１００と同様に動作する。これにより、色度優先の第１画像信号（Ｒ１，Ｇ１，Ｂ１）および輝度優先の第２画像信号（Ｒ２，Ｇ２，Ｂ２）が生成される。
【００８２】
（ステップＳ３２３）
第１重み付け係数算出部２５１は、ステップＳ２で算出された点灯率に対応するバックライト係数Ｌに基づいて、重み付け係数ＷＬを算出する。
【００８３】
（ステップＳ３２４）
第２重み付け係数算出部２５３は、ステップＳ２で出力される調整画像信号（Ｒ，Ｇ，Ｂ）から彩度Ｓを算出し、算出した彩度Ｓに基づいて、重み付け係数ＷＳを算出する。
【００８４】
（ステップＳ３２５）
重み付け補間部１５は、重み付け係数ＷＬおよび重み付け係数ＷＳに基づき得られる重み付け係数Ｗを用いて、第１画像信号（Ｒ１，Ｇ１，Ｂ１）および第２画像信号（Ｒ２，Ｇ２，Ｂ２）に重み付け補間を行う。そして、重み付け補間部１５は、重み付け補間により得られた画像信号（Ｒ＿ｏｕｔ２，Ｇ＿ｏｕｔ２，Ｂ＿ｏｕｔ２）を出力する。
【００８５】
以上説明したように、本実施形態に係るテレビ２は、ローカルディミング制御後の画像に対して、よりいっそう適切にホワイトバランスを調整することができる。
【００８６】
その理由について説明する。本実施形態では、重み付け補間部２５が、色度優先の第１画像信号および輝度優先の第２画像信号に対して、ローカルディミング制御により決定されたバックライト階調に基づくことに加えて、彩度に基づいて重み付け補間した画像信号を出力するからである。
【００８７】
このように、本実施形態は、特に白色系の画像信号（すなわち、低彩度の画像信号）を対象として、バックライト階調を考慮したホワイトバランスを調整する。これにより、本実施形態は、ローカルディミング制御後の画像に対して、ホワイトバランスの調整による色味の不自然な変化をよりいっそう低減する。
【００８８】
〔実施形態３〕
本発明のさらに他の実施形態について、以下に説明する。なお、説明の便宜上、前記実施形態にて説明した部材と同じ機能を有する部材については、同じ符号を付記し、その説明を省略する。実施形態３では、ホワイトバランスの調整に関わる各種のパラメータをユーザが設定する構成について説明する。
【００８９】
（テレビ３の構成および処理）
本実施形態に係るテレビ（表示装置）３は、図１５に示すように、図１に示した実施形態１に係るテレビ１の構成に対して、第１調整部１３に替えて第１調整部３３と、第２調整部１４に替えて第２調整部３４と、重み付け補間部１５に替えて重み付け補間部３５と、操作受付部１７に替えて操作受付部３７とを含む点が異なる。なお、第１調整部３３、第２調整部３４、および、重み付け補間部３５は、画像処理装置３００を構成する。
【００９０】
操作受付部３７は、ユーザの入力に基づく第１のゲインを取得し、記憶部１６に記憶する。また、操作受付部３７は、ユーザの入力に基づく高輝度条件を取得し、記憶部１６に記憶する。高輝度条件として入力可能な情報は、例えば、各原色信号に対する階調の閾値であってもよい。また、操作受付部３７は、輝度優先の画像のオンオフを表す情報を取得し、記憶部１６に記憶する。
【００９１】
第１調整部３３は、第１のゲインとして、ユーザの入力に基づく第１のゲインを用いる点が、実施形態１における第１調整部１３に対して異なる。その他の構成については第１調整部１３と同様であるため、詳細な説明を省略する。
【００９２】
第２調整部３４は、高輝度条件として、ユーザの入力に基づく高輝度条件を用いる点が、実施形態１における第２調整部１４に対して異なる。その他の構成については第２調整部１４と同様であるため、詳細な説明を省略する。
【００９３】
重み付け補間部３５は、輝度優先の画像のオンオフを表す情報がオンに設定されている場合、実施形態１における重み付け補間部１５と同様に構成されて重み付け補間を行う。また、重み付け補間部３５は、輝度優先の画像のオンオフを表す情報がオフに設定されている場合、重み付け補間を行わず、第１画像信号を出力する。
【００９４】
以上のように構成されたテレビ３が実行する処理は、図９〜図１０に示したフローチャートにおいて、各部がユーザ入力に基づくパラメータを用いて動作することにより説明される。
【００９５】
このように、本実施形態は、ローカルディミング制御後の画像に対するホワイトバランスの調整を、ユーザの好みに合わせて行うことができる。
【００９６】
〔ソフトウェアによる実現例〕
テレビジョン受像機１、２、３の制御ブロック（特に第１調整部１３、３３、第２調整部１４、３４および重み付け補間部１５、２５、３５）は、集積回路（ＩＣチップ）等に形成された論理回路（ハードウェア）によって実現してもよいし、ソフトウェアによって実現してもよい。
【００９７】
後者の場合、テレビジョン受像機１、２、３は、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００９８】
〔まとめ〕
本発明の態様１に係る画像処理装置（１００）は、ホワイトバランスを調整する画像処理装置であって、バックライトのローカルディミング制御に伴い階調が調整された調整画像信号における各原色信号（Ｒ，Ｇ，Ｂ）に対して、第１のゲインを用いてホワイトバランスを調整した第１画像信号（Ｒ１，Ｇ１，Ｂ１）を生成する第１調整部（１３）と、上記調整画像信号における各原色信号に対して、上記第１のゲインのうち少なくとも何れかの原色信号に対するゲインをより高い値に変更した第２のゲインを用いて、ホワイトバランスを調整した第２画像信号（Ｒ２，Ｇ２，Ｂ２）を生成する第２調整部（１４）と、上記第１画像信号（Ｒ１，Ｇ１，Ｂ１）及び上記第２画像信号（Ｒ２，Ｇ２，Ｂ２）に対して、上記ローカルディミング制御によるバックライト階調に基づき重み付け補間を行った画像信号（Ｒ＿ｏｕｔ１，Ｇ＿ｏｕｔ１，Ｂ＿ｏｕｔ１）を出力する重み付け補間部（１５）と、を備える。
【００９９】
上記の構成によれば、本態様に係る画像処理装置は、第１調整部により生成される色度優先の第１画像信号、および、第２調整部により生成される輝度優先の第２画像信号に対して、ローカルディミング制御によるバックライト階調に応じた重み付け補間を行う。そのため、本態様に係る画像処理装置は、ローカルディミング制御後の画像に対して、バックライト階調に応じて色度優先よりまたは輝度優先よりでホワイトバランスを調整することができ、より適切な画像を出力できる。
【０１００】
本発明の態様２に係る画像処理装置において、上記態様１における上記重み付け補間部は、上記バックライト階調が高いほど、上記第２画像信号の重み付けを大きくしてもよい。
【０１０１】
上記の構成によれば、本態様に係る画像処理装置は、ローカルディミング制御によりバックライトがより暗く制御された領域ほど、色度優先の第１画像信号により近い画像を表示する。そのため、本態様に係る画像処理装置は、ローカルディミング制御によって高階調に変更された局所領域であっても、バックライトが暗ければ輝度優先ではなく色度優先でホワイトバランスを調整することになり、不自然な色味の変化を抑制できる。
【０１０２】
本発明の態様３に係る画像処理装置において、上記態様１または態様２における上記重み付け補間部は、上記バックライト階調に基づくことに加えて、上記調整画像信号の彩度に基づいて、上記重み付け補間を行ってもよい。
【０１０３】
上記の構成によれば、本態様に係る画像処理装置は、ローカルディミング制御により決定されたバックライト階調に基づくホワイトバランスの調整を、さらに調整画像信号の彩度に基づいて行う。そのため、本態様に係る画像処理装置は、より適切な画像を出力できる。
【０１０４】
本発明の態様４に係る画像処理装置において、上記態様３における上記重み付け補間部は、上記彩度が低いほど、上記第２画像信号の重み付けを大きくしてもよい。
【０１０５】
上記の構成によれば、本態様に係る画像処理装置は、ローカルディミング制御により決定されたバックライト階調に基づくホワイトバランスの調整を、より低彩度な白色系の調整画像信号に対して行うことになる。そのため、本態様に係る画像処理装置は、ローカルディミング制御後の画像に対するホワイトバランスの調整において、不自然な色味の変化をさらに抑制できる。
【０１０６】
本発明の態様５に係る画像処理装置において、上記態様１から態様４の何れかにおける上記第２調整部は、上記調整画像信号が所定の高輝度条件を満たす場合に、上記第２のゲインを用いてホワイトバランスを調整した上記第２画像信号を生成してもよい。
【０１０７】
上記の構成によれば、本態様に係る画像処理装置は、高輝度条件を満たさない調整画像信号については色度優先の第１画像信号を出力する。また、本態様に係る画像処理装置は、高輝度条件を満たす調整画像信号については、バックライト階調に応じて色度優先よりまたは輝度優先よりでホワイトバランスを調整することができる。
【０１０８】
本発明の態様６に係る画像処理装置において、上記態様１から態様５の何れかにおける上記第２調整部は、上記第１のゲインに対する差分情報に基づいて上記第２のゲインを算出してもよい。
【０１０９】
上記の構成によれば、本態様に係る画像処理装置は、第２調整部で用いるために記憶しておくべき情報の容量を削減することができる。
【０１１０】
本発明の態様７に係る画像処理装置において、上記態様１から態様６の何れかにおける上記重み付け補間部は、ユーザにより入力される情報が上記第２画像信号を適用することを表す場合、上記重み付け補間を行い、上記ユーザにより入力される情報が上記第２画像信号を適用しないことを表す場合、上記第１画像信号を出力してもよい。
【０１１１】
上記の構成によれば、本態様に係る画像処理装置は、ユーザの好みに応じて、輝度優先よりでホワイトバランスを調整した画像を適用するか否かを決定できる。
【０１１２】
本発明の態様８に係る画像処理装置において、上記態様１から態様７の何れかにおける上記第１調整部は、上記第１のゲインとしてユーザにより入力により情報を用いて、ホワイトバランスを調整した上記第１画像信号を生成してもよい。
【０１１３】
上記の構成によれば、本態様に係る画像処理装置は、バックライト階調に応じて色度優先よりでホワイトバランスを調整する場合に、ユーザの好みに応じた画像を出力することができる。
【０１１４】
本発明の態様９に係る表示装置（１）は、入力される画像信号に対して上記ローカルディミング制御を実行して上記調整画像信号を生成するローカルディミング制御部と、態様１から態様８の何れかに係る画像処理装置と、を含んでいる。
【０１１５】
上記の構成によれば、上記態様１から態様８の何れかに係る画像処理装置と同等の効果を奏する表示装置を実現できる。
【０１１６】
本発明の態様１０に係るテレビジョン受像機（１）は、上記態様９に係る表示装置を含んでいる。
【０１１７】
上記の構成によれば、上記態様９の表示装置と同等の効果を奏するテレビジョン受像機を実現できる。
【０１１８】
本発明の態様１１に係る画像処理方法は、ホワイトバランスを調整する画像処理方法であって、バックライトのローカルディミング制御に伴い階調が調整された調整画像信号における各原色信号に対して、第１のゲインを用いてホワイトバランスを調整した第１画像信号を生成する第１調整ステップと、上記調整画像信号における各原色信号に対して、上記第１のゲインのうち、少なくとも何れかの原色信号に対するゲインをより高い値に変更した第２のゲインを用いて、ホワイトバランスを調整した第２画像信号を生成する第２調整ステップと、上記第１画像信号及び上記第２画像信号に対して、上記ローカルディミング制御によるバックライト階調に基づき重み付け補間を行った画像信号を出力する画像信号出力ステップと、含む。
【０１１９】
上記の構成によれば、本態様に係る画像処理方法は、上記態様１に係る画像処理装置と同等の効果を奏する。
【０１２０】
本発明の各態様に係る画像処理装置は、コンピュータによって実現してもよい。この場合には、コンピュータを、上記画像処理装置が備える各部（ソフトウェア要素）として動作させる。このように、上記画像処理装置をコンピュータにて実現させる制御プログラム、および、当該制御プログラムを記録したコンピュータ読み取り可能な記録媒体は、本発明の範疇に入る。
【０１２１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１２２】
１、２、３  テレビジョン受像機（表示装置）
１０  画像信号取得部
１１  表示部
１２  ローカルディミング制御部
１３、３３  第１調整部
１４、３４  第２調整部
１５、２５、３５  重み付け補間部
１６  記憶部
１７、３７  操作受付部
１００、２００、３００  画像処理装置
１２１  点灯率算出部
１２２  分布特性算出部
１２３  画像階調調整部
１５１  重み付け係数算出部
２５１  第１重み付け係数算出部
２５３  第２重み付け係数算出部
【図１】
2019049637.tif 000003
【図２】
2019049637.tif 000004
【図３】
2019049637.tif 000005
【図４】
2019049637.tif 000006
【図５】
2019049637.tif 000007
【図６】
2019049637.tif 000008
【図７】
2019049637.tif 000009
【図８】
2019049637.tif 000010
【図９】
2019049637.tif 000011
【図１０】
2019049637.tif 000012
【図１１】
2019049637.tif 000013
【図１２】
2019049637.tif 000014
【図１３】
2019049637.tif 000015
【図１４】
2019049637.tif 000016
【図１５】
2019049637.tif 000017
【手続補正書】
【提出日】平成30年12月17日(2018.12.17)
【手続補正１】
【補正対象書類名】特許請求の範囲
【補正対象項目名】全文
【補正方法】変更
【補正の内容】
【特許請求の範囲】
【請求項１】
ホワイトバランスを調整する画像処理装置であって、
バックライトのローカルディミング制御に伴い階調が調整された調整画像信号における各原色信号に対して、第１のゲインを用いてホワイトバランスを調整した第１画像信号を生成する第１調整部と、
上記調整画像信号における各原色信号に対して、上記第１のゲインのうち少なくとも何れかの原色信号に対するゲインをより高い値に変更した第２のゲインを用いて、ホワイトバランスを調整した第２画像信号を生成する第２調整部と、
上記第１画像信号及び上記第２画像信号に対して、上記ローカルディミング制御によるバックライト階調に基づき重み付け補間を行った画像信号を出力する重み付け補間部と、を備え、
上記第２調整部は、上記第２のゲインを、上記調整画像信号の全ての階調範囲において、または、上記調整画像信号の階調範囲のうち所定の階調値以上の階調値において、第１のゲインより高い値に変更した上記第２のゲインを用いて、上記第２画像信号を生成し、
上記重み付け補間部は、上記バックライト階調が高いほど、上記第２画像信号の重み付けを大きくする画像処理装置。
【請求項２】
上記第２調整部は、上記第２のゲインを、上記調整画像信号の階調範囲のうち所定の階調値以上の階調値において、第１のゲインより高い値に変更した上記第２のゲインを用いて、上記第２画像信号を生成する、請求項１に記載の画像処理装置。
【請求項３】
上記重み付け補間部は、上記バックライト階調に基づくことに加えて、上記調整画像信号の彩度に基づいて、上記重み付け補間を行う、ことを特徴とする請求項１または２に記載の画像処理装置。
【請求項４】
上記重み付け補間部は、上記彩度が低いほど、上記第２画像信号の重み付けを大きくする、ことを特徴とする請求項３に記載の画像処理装置。
【請求項５】
上記第２調整部は、上記調整画像信号が所定の高輝度条件を満たす場合に、上記第２のゲインを用いてホワイトバランスを調整した上記第２画像信号を生成する、ことを特徴とする請求項１から４の何れか１項に記載の画像処理装置。
【請求項６】
上記第２調整部は、上記第１のゲインに対する差分情報に基づいて上記第２のゲインを算出する、ことを特徴とする請求項１から５の何れか１項に記載の画像処理装置。
【請求項７】
上記重み付け補間部は、ユーザにより入力される情報が上記第２画像信号を適用することを表す場合、上記重み付け補間を行い、上記ユーザにより入力される情報が上記第２画像信号を適用しないことを表す場合、上記第１画像信号を出力する、ことを特徴とする請求項１から６の何れか１項に記載の画像処理装置。
【請求項８】
上記第１調整部は、上記第１のゲインとしてユーザにより入力される情報を用いて、ホワイトバランスを調整した上記第１画像信号を生成する、ことを特徴とする請求項１から７の何れか１項に記載の画像処理装置。
【請求項９】
入力される画像信号に対して上記ローカルディミング制御を実行して上記調整画像信号を生成するローカルディミング制御部と、請求項１から８の何れか１項に記載の画像処理装置と、を含む表示装置。
【請求項１０】
請求項９に記載の表示装置を備えていることを特徴とするテレビジョン受像機。
【請求項１１】
ホワイトバランスを調整する画像処理方法であって、
バックライトのローカルディミング制御に伴い階調が調整された調整画像信号における各原色信号に対して、第１のゲインを用いてホワイトバランスを調整した第１画像信号を生成する第１調整ステップと、
上記調整画像信号における各原色信号に対して、上記第１のゲインのうち、少なくとも何れかの原色信号に対するゲインをより高い値に変更した第２のゲインを用いて、ホワイトバランスを調整した第２画像信号を生成する第２調整ステップと、
上記第１画像信号及び上記第２画像信号に対して、上記ローカルディミング制御によるバックライト階調に基づき重み付け補間を行った画像信号を出力する画像信号出力ステップと、を含み、
上記第２調整ステップにおいて、上記第２のゲインを、上記調整画像信号の全ての階調範囲において、または、上記調整画像信号の階調範囲のうち所定の階調値以上の階調値において、第１のゲインより高い値に変更した上記第２のゲインを用いて、上記第２画像信号を生成し、
上記画像信号出力ステップにおいて、上記バックライト階調が高いほど、上記第２画像信号の重み付けを大きくする画像処理方法。
【請求項１２】
請求項１に記載の画像処理装置としてコンピュータを機能させるための制御プログラムであって、上記第１調整部、上記第２調整部および上記重み付け補間部としてコンピュータを機能させるための制御プログラム。
【請求項１３】
請求項１２に記載の制御プログラムを記録したコンピュータ読み取り可能な記録媒体。